(57)【要約】【課題】画像を撮像した後に、当該画像の露光量を簡単に管理して調整することができる撮像装置を提供する。【解決手段】撮像装置１は、基準露光量Ｔｅを取得する露光条件取得手段９１と、基準露光量Ｔｅに基づいて複数の分割撮影画像を撮影する撮像手段２０と、分割撮影画像を合成して合成画像を生成する画像合成手段４１と、画像合成手段４１で生成した合成画像、露光条件取得手段９１で取得した基準露光量、分割撮影画像毎の露光量情報である分割露光量、及び、複数の分割撮影画像を関連付けて保持する画像保持手段３１とを備え、露光条件取得手段９１は、ユーザが指示する修正露光量を更に取得し、画像合成手段４１は、基準露光量Ｔｅと、分割露光量と、修正露光量とに基づいて、画像保持手段３１に保持した分割撮影画像を再合成して修正露光量に相当する露光量の再合成画像を生成する。【選択図】図１
2017152756.tif 000002
【特許請求の範囲】
【請求項１】
基準露光量を取得する露光条件取得手段と、
前記基準露光量に基づいて複数の分割撮影画像を撮影する撮像手段と、
前記分割撮影画像を合成して合成画像を生成する画像合成手段と、
前記画像合成手段で生成した合成画像、前記露光条件取得手段で取得した基準露光量、前記分割撮影画像毎の露光量情報である分割露光量、及び、前記複数の分割撮影画像を関連付けて保持する画像保持手段とを備え、
前記露光条件取得手段は、更に、ユーザが指示する修正露光量を取得し、
前記画像合成手段は、前記露光条件取得手段が修正露光量を取得したときに、前記基準露光量と、前記分割露光量と、前記修正露光量とに基づいて、前記画像保持手段に保持した分割撮影画像を再合成して前記修正露光量に相当する露光量の再合成画像を生成する
撮像装置。
【請求項２】
撮影開始指示手段を更に備え、
前記撮像手段は、前記撮影開始指示手段による指示により撮影を開始し、
前記画像合成手段は、前記分割撮影画像を合成して前記基準露光量に相当する露光量の基準露光量合成画像を生成し、
前記画像保持手段は、前記基準露光量合成画像、前記基準露光量、前記分割露光量、及び、前記複数の分割撮影画像を関連付けて保持する
請求項１記載の撮像装置。
【請求項３】
前記画像合成手段は、
前記修正露光量に相当する露光量の再合成画像を生成するときに、
被写体の動作の影響を調整する動き調整モードと、再合成画像の明るさを調整する明るさ調整モードとを有し、
前記動き調整モードでは、前記修正露光量と前記基準露光量とに基づき、前記再合成画像が前記基準露光量相当の露光量となるように、前記再合成画像に対してゲインを乗算し、
前記明るさ調整モードでは、前記再合成画像に対してゲインを乗算しない
請求項１又は請求項２記載の撮像装置。
【請求項４】
前記撮像手段は、前記複数の分割撮影画像の合計露光量が前記基準露光量よりも大きくなるように、前記複数の分割撮影画像を撮影する
請求項１乃至請求項３のいずれか１項記載の撮像装置。
【請求項５】
基準露光量を取得する露光条件取得ステップと、
前記基準露光量に基づいて複数の分割撮影画像を撮影する撮像ステップと、
前記分割撮影画像を合成して合成画像を生成する画像合成ステップと、
前記画像合成ステップで生成した合成画像、前記露光条件取得ステップで取得した基準露光量、前記分割撮影画像毎の露光量情報である分割露光量、及び、前記複数の分割撮影画像を関連付けて保持する画像保持ステップと、
ユーザが指示する修正露光量を取得する修正露光条件取得ステップと、
前記基準露光量と、前記分割露光量と、前記修正露光量とに基づいて、前記画像保持ステップで保持した分割撮影画像を再合成して前記修正露光量に相当する露光量の再合成画像を生成する画像再合成ステップと
を有する撮像方法。
【請求項６】
コンピュータに、
基準露光量を取得する露光条件取得手順と、
前記基準露光量に基づく複数の分割撮影画像を入力する画像入力手順と、
前記分割撮影画像を合成して合成画像を生成する画像合成手順と、
前記画像合成手順で生成した合成画像、前記露光条件取得手順で取得した基準露光量、前記分割撮影画像毎の露光量情報である分割露光量、及び、前記複数の分割撮影画像を関連付けて保持する画像保持手順と、
ユーザが指示する修正露光量を取得する修正露光条件取得手順と、
前記基準露光量と、前記分割露光量と、前記修正露光量とに基づいて、前記画像保持手順で保持した分割撮影画像を再合成して前記修正露光量に相当する露光量の再合成画像を生成する画像再合成手順と
を実行させるための撮像プログラム。
【発明の詳細な説明】
【技術分野】
【０００１】
本発明は撮像装置、撮像方法及び撮像プログラムに関する。
【背景技術】
【０００２】
デジタルカメラには、露光時間（シャッタスピード）、絞り、感度などのように、撮影するときに設定できる項目が幾つかあり、これらの設定を変更することにより様々な効果を得て、同じ被写体を撮影しても異なる画像を得ることができる。
一方で、これらの設定項目とその効果との関係を理解することは難しく、多くの撮影者がカメラのオート機能を使うことで、これらの設定項目を自動的に設定して撮影している。
【０００３】
しかしながら、オート機能で撮影した画像が必ずしも撮影者にとって好ましい画像になるとは限らない。このため、撮影後にこれらの設定を変更し、撮影時とは異なる画像を得ることができれば、撮影者にとって好ましい画像を得る機会を増やすことになる。
そこで、例えば、特許文献１には、画像処理装置において、撮影者の一度の撮影指示で複数の画像を撮影し、当該複数の画像を保持し、当該複数の画像の中から、任意に幾つかの画像を選択して加算し、完成画像を得ることが記載されている。
【先行技術文献】
【特許文献】
【０００４】
【特許文献１】特開２００５−３５４１６６号公報
【発明の概要】
【発明が解決しようとする課題】
【０００５】
特許文献１記載の画像処理装置では、一度の撮影指示で撮影された複数の画像について、それらが一度の撮影指示で撮影された画像群であることを示す情報の有無について何も記載されていない。
このため、一度の撮影指示で撮影を行った後、次の撮影を行う前に画像の選択および加算を行って、１度目の撮影で得られた複数の画像と、２度目の撮影で得られた複数の画像とを区別し、これらの画像を混同しないようにする必要が生じる。
【０００６】
本発明は、このような問題を解決するためになされたものであり、画像を撮像した後に、当該画像の露光量を簡単に管理し調整することができる撮像装置、撮像方法及び撮像プログラムを提供することを目的とする。
【課題を解決するための手段】
【０００７】
本発明に係る撮像装置は、基準露光量を取得する露光条件取得手段と、基準露光量に基づいて複数の分割撮影画像を撮影する撮像手段と、分割撮影画像を合成して合成画像を生成する画像合成手段と、画像合成手段で生成した合成画像、露光条件取得手段で取得した基準露光量、分割撮影画像毎の露光量情報である分割露光量、及び、複数の分割撮影画像を関連付けて保持する画像保持手段とを備え、露光条件取得手段は、更に、ユーザが指示する修正露光量を取得し、画像合成手段は、露光条件取得手段が修正露光量を取得したときに、基準露光量と、分割露光量と、修正露光量とに基づいて、画像保持手段に保持した分割撮影画像を再合成して修正露光量に相当する露光量の再合成画像を生成するものである。
【０００８】
また、本発明に係る撮像方法は、基準露光量を取得する露光条件取得ステップと、基準露光量に基づいて複数の分割撮影画像を撮影する撮像ステップと、分割撮影画像を合成して合成画像を生成する画像合成ステップと、画像合成ステップで生成した合成画像、露光条件取得ステップで取得した基準露光量、分割撮影画像毎の露光量情報である分割露光量、及び、複数の分割撮影画像を関連付けて保持する画像保持ステップと、ユーザが指示する修正露光量を取得する修正露光条件取得ステップと、基準露光量と、分割露光量と、修正露光量とに基づいて、画像保持ステップで保持した分割撮影画像を再合成して修正露光量に相当する露光量の再合成画像を生成する画像再合成ステップとを有するものである。
【発明の効果】
【０００９】
本発明により、画像を撮像した後に、当該画像の露光量を簡単に管理して調整する撮像装置、撮像方法及び撮像プログラムを提供することができる。
【図面の簡単な説明】
【００１０】
【図１】実施の形態に係る撮像装置１の概略構成を示すブロック図である。
【図２】実施の形態に係る撮像方法の処理手順を示すフローチャートである。
【図３】実施の形態に係る露光時間と合成画像との関係を説明するための図である。
【図４】実施の形態に係る動き調整モードにおける合成枚数とゲインとの関係を示す図である。
【図５】実施の形態に係る記録ファイルの構造を示す図である。
【発明を実施するための形態】
【００１１】
以下、図面を参照して本実施の形態に係る撮像装置及び撮像方法について説明する。
なお、本明細書において、「分割撮影画像」とは、例えば、高速読み出し可能な撮像素子を用いて、通常の露光時間（シャッタスピード）を分割した露光時間で複数回撮像したときの各画像のことをいう。
【００１２】
図１は、本実施の形態に係る撮像装置１の概略構成を示すブロック図である。
撮像装置１は、レンズ１０、撮像素子２０、記憶部３０、画像処理部４０、操作部５０、表示部６０、圧縮伸長処理部７０、記録メディアインターフェイス（Ｉ／Ｆ）８０、制御部９０、バス１００などを備える。撮像装置１は、例えば、デジタルカメラ、スマートフォンなどである。なお、以下で特に説明していない構成については、従来技術に係るものと同様の構成としても良い。
【００１３】
レンズ１０は、被写体からの光を透過させて、撮像素子２０に結像させる。
撮像素子２０は、結像された被写体像を電気信号に変換し、画像データを得る。このとき、撮像素子２０は、適切な露光時間又は撮影者（ユーザ）が設定した露光時間（基準露光時間）を分割した露光時間（分割露光時間）で複数回撮影し、複数の分割撮影画像データを取得する。複数の分割撮影画像データの合計露光時間は、基準露光時間よりも長い。
もちろん、撮像素子２０は、通常の１回の撮影動作により、基準露光時間の１枚の画像データを得ることもできる。
【００１４】
記憶部３０は、分割撮影画像、分割撮影画像を撮影した時の露光条件、複数の分割撮影画像を合成した合成画像等を一時的に保管するワーキングメモリである。このために、記憶部３０は画像保持部３１などを有する。
画像保持部３１は、分割撮影画像又は合成画像を、基準露光時間、分割露光時間などの露光条件と関連付けて記憶する。
【００１５】
画像処理部４０は、ホワイトバランス（ＷＢ）処理、ガンマ処理、雑音除去などを行ってライブビュー画像、スチル画像、サムネイル画像等の画像データを生成するとともに、分割撮影画像の合成を行う。このために、画像処理部４０は、画像合成部４１、サムネイル生成部４２などを有する。
【００１６】
画像合成部４１は、複数の分割撮影画像を合成して、基準露光時間などに相当する露光時間の合成画像を得る。
また、画像合成部４１は、複数の分割撮影画像を合成するときに、後述するように、被写体の動作の影響について調整することを目的とした動き調整モードと、明るさを調整することを目的とした明るさ調整モードとのいずれかのモードで、画像を再合成することもできる。
【００１７】
サムネイル生成部４２は、合成画像又は再合成画像のサムネイルを生成する。
操作部５０は、露光時間、動作モードの選択などのユーザ指示を入力する。
表示部６０は、合成画像、再合成画像、それらのサムネイル画像、各種の情報などを表示する。
【００１８】
圧縮伸長処理部７０は、分割撮影画像データ、合成画像データを圧縮し、各露光時間、後述する分割数Ｎ、追加数Ｍなどのデータとともに１つのＥｘｉｆファイルに格納する。
記録メディアインターフェイス８０は、Ｅｘｉｆファイルを記録メディア６に記録する。
【００１９】
制御部９０は、バス１００を介して撮像装置１全体の動作を制御する。このため、制御部９０は、露光条件取得部９１、露光条件設定部９２、画像保存設定部９３などを有する。
露光条件取得部９１は、撮影するときの適正な露光時間又はユーザが設定した露光時間を基準露光時間（基準露光量）として取得する。
【００２０】
露光条件設定部９２は、撮像素子２０が、基準露光時間よりも長い露光時間に相当する複数の分割撮影画像を撮像するように、露光条件を設定する。
画像保存設定部９３は、分割撮影画像及び合成画像を画像保持部３１、記録メディア６などに保存するときの保存方法などを設定する。
【００２１】
なお、画像処理部４０及び制御部９０が実現する各構成要素は、例えば、コンピュータである画像処理部４０及び制御部９０が備える演算装置（図示せず）の制御によって、プログラムを実行させることにより実現できる。
【００２２】
より具体的には、画像処理部４０及び制御部９０は、記憶部３０に格納されたプログラムを主記憶装置（図示せず）にロードし、演算装置の制御によってプログラムを実行して実現する。また、各構成要素は、プログラムによるソフトウェアで実現することに限ることなく、ハードウェア、ファームウェア及びソフトウェアのうちのいずれかの組み合わせなどにより実現しても良い。
【００２３】
上述したプログラムは、様々なタイプの記録メディア６、すなわち、非一時的なコンピュータ可読媒体（non-transitory computer readable medium）を用いて格納され、画像処理部４０及び制御部９０に供給することができる。非一時的なコンピュータ可読媒体は、様々なタイプの実体のある記録媒体（tangible storage medium）を含む。
【００２４】
非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００２５】
また、プログラムは、様々なタイプの一時的なコンピュータ可読媒体（transitory computer readable medium）によって画像処理部４０及び制御部９０に供給されても良い。一時的なコンピュータ可読媒体の例は、電気信号、光信号及び電磁波を含む。一時的なコンピュータ可読媒体は、電線及び光ファイバなどの有線通信路、又は、無線通信路を介して、プログラムを画像処理部４０及び制御部９０に供給できる。
【００２６】
次に、本実施の形態に係る撮像装置１の動作、すなわち、撮像方法について説明する。
図２は、本実施の形態に係る撮像方法の処理手順を示すフローチャートである。
まず、撮像装置１が動作を開始すると、撮影モードに入り、露光条件取得部９１が自動露出調整（ＡＥ、automatic exposure）機能などにより算出した適正な露光時間、又は、撮影者（ユーザ）が設定した露光時間を基準露光時間（基準露光量）Ｔｅとして取得する（ステップＳ１０）。
【００２７】
次に、露光条件設定部９２が、ステップＳ１０で取得した基準露光時間Ｔｅを分割数Ｎで等分割した露光時間Ｔｅ／Ｎで、Ｎ＋Ｍ回（ここで、Ｎは２以上の整数、Ｍは１以上の整数）の撮影を行うように撮像素子２０の露光条件を設定する（ステップＳ２０）。追加数Ｍは、露光条件取得部９１が取得した基準露光時間よりもＮ＋Ｍ枚の分割撮影画像の合計の露光時間が長くなるように、追加で撮影を行う回数を意味する。
【００２８】
例えば、露光条件取得部９１が取得した基準露光時間が１／１０ｓであったときに、露光条件設定部９２は、撮像素子２０が露光時間１／１０ｓで１回だけ撮影するのではなく、露光時間１／１００ｓで１０回撮影し、露光時間１／１０ｓの１回の撮影に相当する１０枚の分割撮影画像を得るとともに、更に露光時間１／１００ｓでＭ回余分に撮影するように、露光条件を設定する。つまり、分割数Ｎ、追加数Ｍをそれぞれ１０としたときは、撮像素子２０が露光時間１／１００ｓで２０回撮影するように露光条件を設定する。
【００２９】
なお、露光条件設定部９２は、撮像素子２０が撮影可能な最小露光時間、基準露光時間Ｔｅ、被写体となる動体の検出結果など、撮像装置１、被写体などの状況を判断して、分割数Ｎ及び追加数Ｍを自動的に決定しても良い。また、ユーザが分割数Ｎ及び追加数Ｍを決定しても良い。
【００３０】
次に、ユーザが操作部５０を操作して撮影開始を指示し、撮像素子２０が、ステップＳ２０で設定された露光条件に従って被写体を撮影し、Ｎ＋Ｍ枚の分割撮影画像を生成する（ステップＳ３０）。もちろん、Ｎ＋Ｍ枚の分割撮影画像は時間的に連続するものである。生成した分割撮影画像は、基準露光時間Ｔｅ、ＩＳＯ感度、分割撮影画像情報（例えば、個々の分割撮影画像の露光時間）などとともに、画像保持部３１に保存する。
【００３１】
次に、画像合成部４１が、Ｎ＋Ｍ枚の分割撮影画像からＮ枚の分割撮影画像を合成して、基準露光時間Ｔｅで１回撮影したときの画像と同等の合成画像Ｉｔｅを生成する（ステップＳ４０）。生成した合成画像Ｉｔｅは、合成画像生成情報（例えば、合成画像Ｉｔｅをどの分割撮影画像を用いて生成したかを示す情報）などとともに、やはり画像保持部３１に保存する。
【００３２】
図３は、本実施の形態に係る露光時間と合成画像との関係を説明するための図である。
上述したように、撮像素子２０は、基準露光時間ＴｅをＮ分割した露光時間で、Ｎ＋Ｍ枚の分割撮影画像を撮影する。このとき、Ｎ枚の分割撮影画像の合計露光時間が基準露光時間Ｔｅに相当し、Ｍ枚の分割撮影画像の合計露光時間が調整用の追加の露光時間に相当する。また、画像合成部４１は、Ｎ枚の分割撮影画像から合成画像Ｉｔｅを生成し、画像保持部３１は、合成画像Ｉｔｅ及びＮ＋Ｍ枚の分割撮影画像を保存する。
【００３３】
次に、サムネイル生成部４２が、合成画像Ｉｔｅのサムネイル画像Ｉｔｅｔｈを生成する（ステップＳ５０）。生成したサムネイル画像Ｉｔｅｔｈはやはり画像保持部３１に保存する。
【００３４】
次に、撮像装置１は、撮影モードで１又は複数枚の合成画像Ｉｔｅ及びそのサムネイル画像Ｉｔｅｔｈを生成した後に再生モードに入る。
まず、表示部６０が、合成画像Ｉｔｅ又はサムネイル画像Ｉｔｅｔｈを表示する（ステップＳ６０）。これらの画像の表示動作自体は一般的なカメラがその撮像画像を表示するときと同様の動作であって良い。
また、表示部６０は、合成画像Ｉｔｅ又はサムネイル画像Ｉｔｅｔｈと一緒に、これらの画像が露光時間の調整（修正）が可能な画像であることを示す情報を併せて表示する。
【００３５】
ユーザは、露光時間の調整が可能である旨の表示を見て、必要に応じて、操作部５０を操作して、撮像装置１を露光時間調整モードへ移行することができる（ステップＳ７０）。
露光時間調整モードでは、Ｎ＋Ｍ枚の分割撮影画像から任意の枚数の分割撮影画像を再合成して、再合成画像Ｉｔｅ２を得ることができる。このとき、基準露光時間よりも短い露光時間の再合成画像Ｉｔｅ２も、基準露光時間よりも長い露光時間の再合成画像Ｉｔｅ２も得ることもできる。
【００３６】
具体的には、露光時間調整モードには、合成画像Ｉｔｅの明るさの調整（修正）を目的とした明るさ調整モードと、被写体の動作途中の画像を得るような、合成画像Ｉｔｅの被写体の動きの調整（修正）を目的とした動き調整モードとがあり、ユーザは操作部５０の操作によりどちらかのモードを選択することができる（ステップＳ８０）。
【００３７】
明るさ調整モードのとき（ステップＳ７０のＹｅｓ、ステップＳ８０のＹｅｓ）は、ユーザが表示部６０に表示した再合成画像Ｉｔｅ２の明るさを確認し、合成する分割撮影画像を増減して再合成画像Ｉｔｅ２が適切な明るさになるように修正し、操作部５０を操作して合成終了の分割撮影画像（終端画像）Ｉｅｎｄを選択する（ステップＳ９０）。そして、画像合成部４１が、露光開始の分割撮影画像Ｉｓｔａｒｔから合成終了の分割撮影画像Ｉｅｎｄまでの画像を再合成する（ステップＳ１００）。もちろん、ユーザは、露光開始の分割撮影画像Ｉｓｔａｒｔに代えて、合成開始の分割撮影画像Ｉｓｔａｒｔを選択することもできる。
【００３８】
一方、動き調整モードのとき（ステップＳ７０のＹｅｓ、ステップＳ８０のＮｏ）は、ユーザが再合成画像Ｉｔｅ２中の被写体の動きを確認し、合成する分割撮影画像を増減して被写体の動き（写り）が適切なるように修正し、操作部５０を操作して合成終了の分割撮影画像（終端画像）Ｉｅｎｄを選択する（ステップＳ１１０）。そして、画像合成部４１が、露光開始の分割撮影画像Ｉｓｔａｒｔから合成終了の分割撮影画像Ｉｅｎｄまでの画像を再合成する（ステップＳ１２０）。動き調整モードにより、分割撮影画像の加算を途中で止めて、欲しいシーンの再合成画像Ｉｔｅ２、例えば、噴水の水滴の一滴一滴が鮮明な再合成画像Ｉｔｅ２、又は、水滴の落下が線を描くような再合成画像Ｉｔｅ２を得ることができる。
【００３９】
また、画像合成部４１は、動き調整モードで得られた再合成画像Ｉｔｅ２のゲインを自動調整する（ステップＳ１３０）。すなわち、画像合成部４１は、再合成画像Ｉｔｅ２にゲインを乗算して、再合成画像Ｉｔｅ２を基準露光時間Ｔｅで１回撮影した時の画像と同等の明るさにする。
【００４０】
図４は、本実施の形態に係る動き調整モードにおける合成枚数とゲインとの関係を示す図である。横軸は再合成するときの合成枚数を示し、縦軸は露光量を示す。
合成枚数ｉが分割数Ｎよりも少なく、再合成画像Ｉｔｅ２の露光量が基準露光量よりも小さくなるときに、画像合成部４１は、再合成画像Ｉｔｅ２の明るさが増加するようにゲインを１よりも大きくする。一方、合成枚数ｊが分割数Ｎよりも多く、再合成画像Ｉｔｅ２の露光量が基準露光量よりも大きくなるときに、画像合成部４１は、再合成画像Ｉｔｅ２の明るさが減少するようにゲインを１よりも小さくする。このとき、画像合成部４１は、画像保持部３１に保存してある分割撮影画像を撮影した時の露光情報に基づいてゲインを自動的に決定して露光量を調整することができる。
なお、明るさ調整モードでは、分割撮影画像の枚数の増減で明るさを変化させるので、再合成画像Ｉｔｅ２に対してゲインを乗算しない。
【００４１】
次に、画像合成部４１は、明るさ調整モード又は動き調整モードで生成した再合成画像Ｉｔｅ２と、画像保持部３１に保存してある合成画像Ｉｔｅとを置換する（ステップＳ１４０）。
また、画像合成部４１は、露光時間情報や再合成画像情報（例えば、再合成画像Ｉｔｅ２をどの分割撮影画像を用いて生成したかを示す情報など）も置換する。動き調整モードであれば自動ゲイン調整をしているので、ＩＳＯ感度情報も置換する。このとき、次のＡＰＥＸ関係式を用いる。
ＢＶ ＝ ＡＶ ＋ ＴＶ − ＳＶ
【００４２】
ここでは、ＡＶ（Aperture Value、レンズ絞り）には変更がないので、ＴＶ（Time Value、シャッタースピード）を分割撮影画像の枚数により増減させ、ＳＶ（Sensitivity Value、イメージセンサ感度）をゲインにより増減させて、ＢＶ（Brightness Value、被写体輝度）を算出することができる。
【００４３】
また、サムネイル生成部４２も、再合成画像Ｉｔｅ２のサムネイル画像サムネイル画像Ｉｔｅｔｈ２を生成し、画像保持部３１に保存してあるサムネイル画像Ｉｔｅｔｈと置換する（ステップＳ１５０）。
そして、制御部９０は、各露光情報、合成画像情報を更新して（ステップＳ１６０）、撮像装置１内部での撮像モード及び再生モードの処理を終了する。
【００４４】
なお、制御部９０は、ユーザが露光時間の調整が可能である旨の表示を見て、撮像装置１を露光時間調整モードへ移行しなかったとき（ステップＳ７０のＮｏ）も、撮像装置１内部での撮像モード及び再生モードの処理を終了する。
また、撮像装置１は、ユーザの指示により記録メディア６に保存した合成画像、サムネイル画像、分割撮影画像などを再生したり、再合成したりするときも、上記した再生モードの処理と同様の処理を行う。
【００４５】
一方、画像保存設定部９３は、画像保持部３１に保存した分割撮影画像、合成画像（又は、再合成画像）及び関連する情報を撮像装置１外に出力するための保存方法の設定も行う。このときは、圧縮伸長処理部７０が、これらのデータをＥｘｉｆ（Exchangeable image file format）規格に従う記録ファイルとしてまとめ、例えば、記録メディアインターフェイス８０を介して、記録メディア６に記録する。このようにすれば、撮像装置１外部においても、当該記録ファイルを用いて再合成画像を別途生成することができる。
【００４６】
図５は、本実施の形態に係る記録ファイルの構造を示す図である。
記録ファイルは、再合成画像を生成するために必要な情報をメタデータとして記録する。すなわち、１つの記録ファイルに、１回の撮影により得られた、Ｎ＋Ｍ枚の分割撮影画像データ、合成画像Ｉｔｅデータ又は再合成画像Ｉｔｅ２データ、サムネイル画像Ｉｔｅｔｈ又はＩｔｅｔｈ２データ、更に、基準露光時間Ｔｅ、ＩＳＯ感度、分割撮影画像情報、合成画像生成情報、調整モード情報などのメタデータを保存する。
【００４７】
これにより、記録ファイル中のＮ＋Ｍ枚の分割撮影画像が、１度の撮影指示で撮影され、互いに関連する画像であると判断することができ、撮像装置１外部で再合成するときに各分割撮影画像の露光量などを参照して明るさ又は動きを調整することができる。更に、別の撮影で取得した分割撮影画像、合成画像などと容易に区別することもできる。
【００４８】
このように、本実施の形態に係る撮像装置１又は撮像方法は、分割撮影画像、合成画像（又は、再合成画像）、露光時間（露光量）などのデータを互いに関連付け、更に、撮像装置１外部に出力するときにはそれらのデータを１つの記録ファイルにまとめて、画像を撮像した後に、当該画像の露光量を容易に管理して何回でも調整することができる。
【００４９】
なお、本実施の形態に係る撮像装置１又は撮像方法では、分割撮影画像、合成画像（又は、再合成画像）、露光時間（露光量）などのデータは、同一の撮像装置１で撮影して再生する限りにおいて、撮像装置１内で互いに関連付けられて保存されていれば、１つのファイルとしてまとめられている必要はない。すなわち、１回の撮影に係る各データは、少なくとも撮像装置１からその外部に出力されるまでに、互いに関連付けて一つのファイルとしてまとめられていれば良い。
【００５０】
また、本実施の形態に係る撮像装置１又は撮像方法では、１回の撮影に係るデータを出力するときに、全てのデータを関連付けて一つのファイル（例えば、ファイルＦ＿ＡＬＬ）としたが、合成画像Ｉｔｅ、そのサムネイル画像Ｉｔｅｔｈ及びそれらの露光量情報を１つのファイル（例えば、ファイルＦ＿Ｉｔｅ）とし、Ｎ＋Ｍ枚の分割撮影画像、それらの露光量情報及びファイルＦ＿Ｉｔｅと関連付ける情報Ｄ＿Ｉｔｅを別のファイル（例えば、ファイルＦ＿Ｉｔｅｎｍ）とし、ファイルＦ＿ＩｔｅとファイルＦ＿Ｉｔｅｎｍとが関連性を有することを判断できる状態にしておいても良い。また、分割撮影画像から再合成画像Ｉｔｅ２を生成したときに、ファイルＦ＿ＡＬＬとは別のファイルＦ＿Ｉｔｅ２を生成するようにしても良い。
【００５１】
また、本実施の形態に係る撮像装置１又は撮像方法では、複数の分割撮影画像を撮影するときに、基準露光時間Ｔｅを分割数Ｎで等分割した露光時間で各分割撮影画像を撮影したが、一部の分割撮影画像の露光時間が他の分割撮影画像の露光時間と異なるようにして撮影しても良い。
【００５２】
また、本実施の形態に係る撮像装置１又は撮像方法を、撮像素子２０を備えない画像処理装置、画像処理システム又は画像処理方法として構成しても良い。撮像素子２０を備えない画像処理装置、画像処理システムとしては、例えば、パソコンなどが考えられる。
【００５３】
以上、説明したように、本実施の形態に係る撮像装置１は、基準露光量Ｔｅを取得する露光条件取得手段９１と、基準露光量Ｔｅに基づいて複数の分割撮影画像を撮影する撮像手段２０と、分割撮影画像を合成して合成画像を生成する画像合成手段４１と、画像合成手段４１で生成した合成画像、露光条件取得手段９１で取得した基準露光量、分割撮影画像毎の露光量情報である分割露光量、及び、複数の分割撮影画像を関連付けて保持する画像保持手段３１とを備え、露光条件取得手段９１は、更に、ユーザが指示する修正露光量を取得し、画像合成手段４１は、露光条件取得手段９１が修正露光量を取得したときに、基準露光量Ｔｅと、分割露光量と、修正露光量とに基づいて、画像保持手段３１に保持した分割撮影画像を再合成して修正露光量に相当する露光量の再合成画像を生成するものである。
このような構成により、画像を撮像した後に、当該画像の露光量を簡単に管理して調整することができる。
【００５４】
また、本実施の形態に係る撮像装置１は、撮影開始指示手段５０を更に備え、撮像手段２０は、撮影開始指示手段５０による指示により撮影を開始し、画像合成手段４１は、分割撮影画像を合成して基準露光量に相当する露光量の基準露光量合成画像Ｉｔｅを生成し、画像保持手段３１は、基準露光量合成画像、基準露光量、分割露光量、及び、複数の分割撮影画像を関連付けて保持することが好ましい。
このような構成により、通常の１回の撮影と同等の撮像画像も得ることができる。
【００５５】
また、本実施の形態に係る撮像装置１は、画像合成手段４１が、修正露光量に相当する露光量の再合成画像を生成するときに、被写体の動作の影響を調整する動き調整モードと、再合成画像Ｉｔｅ２の明るさを調整する明るさ調整モードとを有し、動き調整モードでは、修正露光量と基準露光量とに基づき、再合成画像が基準露光量相当の露光量となるように、再合成画像Ｉｔｅ２に対してゲインを乗算し、明るさ調整モードでは、再合成画像Ｉｔｅ２に対してゲインを乗算しないものである。
このような構成により、再合成方法（調整モード）毎に、適切な再合成画像Ｉｔｅ２を得ることができる。
【００５６】
また、本実施の形態に係る撮像装置１は、撮像手段２０が、複数の分割撮影画像の合計露光量が基準露光量よりも大きくなるように、複数の分割撮影画像を撮影することが好ましい。
このような構成により、撮影後であっても、露光時間を延長した画像を得ることができる。
【００５７】
また、本実施の形態に係る撮像方法は、基準露光量を取得する露光条件取得ステップＳ１０と、基準露光量に基づいて複数の分割撮影画像を撮影する撮像ステップＳ２０、Ｓ３０と、分割撮影画像を合成して合成画像を生成する画像合成ステップＳ４０と、画像合成ステップＳ４０で生成した合成画像、露光条件取得ステップＳ１０で取得した基準露光量、分割撮影画像毎の露光量情報である分割露光量、及び、複数の分割撮影画像を関連付けて保持する画像保持ステップＳ４０と、ユーザが指示する修正露光量を取得する修正露光条件取得ステップＳ９０、Ｓ１００と、基準露光量と、分割露光量と、修正露光量とに基づいて、画像保持ステップで保持した分割撮影画像を再合成して修正露光量に相当する露光量の再合成画像を生成する画像再合成ステップＳ９０、Ｓ１１０とであるものである。
このような構成により、画像を撮像した後に、当該画像の露光量を簡単に管理して調整することができる。
【００５８】
以上の実施の形態に関し、更に以下の付記を開示する。
（付記１）
所定撮影時間において基準となる基準露光量を取得する基準露光量取得手段と、
時間的に連続して撮影することにより得られた複数の分割撮影画像を撮影する撮影手段と、
所定撮影時間分の分割撮影画像を合成して合成画像を生成する画像合成手段と、
画像合成手段で生成した合成画像と、基準露光量取得部で取得した基準露光量と、分割画像ごとの露光量情報である分割露光量と、複数の分割撮影画像とを関連付けて保持する画像保持手段と、
ユーザが修正を指示した露光量である修正露光量を取得する修正露光量取得手段と
を備え、
画像合成手段は、修正露光量取得手段が修正露光量を取得したときに、画像保持手段に保持された分割撮影画像から修正露光量分の枚数の分割撮影画像を合成し、少なくとも基準露光量と、分割露光量と、修正露光量とに基づいて、修正露光量分の合成画像の露光量調整処理を実行する
画像処理装置。
【００５９】
（付記２）
撮影の開始を指示するための撮影開始指示手段と、
撮影開始指示手段による１度の撮影開始指示により撮影を開始し、
基準露光量に相当する分割撮影画像を、画像合成手段により合成して基準露光量合成画像を生成し、
基準露光量合成画像と、基準露光量取得部で取得した基準露光量と、分割画像ごとの露光量情報である分割露光量と、複数の分割撮影画像とを関連付けて画像保持手段に保持する
付記１の画像処理装置。
【００６０】
（付記３）
露光量調整処理において、
被写体の動作の影響について調整することを目的とした動き調整モードと、
明るさを調整することを目的とした明るさ調整モードと
を備え、
動き調整モードでは、修正露光量と基準露光量とに基づき、合成画像に対して基準露光量相当の露光量となるようなゲインをかける基準露光量相当調整処理を実行し、
明るさ調整モードでは、合成画像に対して基準露光量相当調整処理は実行しない
付記１又は付記２の画像処理装置。
【００６１】
（付記４）
露光量調整処理によって得られた露光量調整済合成画像と、
画像保持手段に、基準露光量、分割露光量及び複数の分割撮影画像と関連付けて保持されている合成画像とを入れ替えるとともに関連付けて保持する処理を実行する
付記１乃至付記３のいずれか１つの画像処理装置。
【００６２】
（付記５）
明るさ調整モードで得られた合成画像を画像保持手段に保持する処理において、
基準露光量を修正露光量と入れ替えて関連付けを実行する
付記４の画像処理装置。
【００６３】
（付記６）
露光量調整処理によって得られた露光量調整済合成画像を
画像保持手段に保持された、分割露光量と、複数の分割撮影画像と関連付けず、
基準露光量と関連付けて画像保持手段に保持する
付記１乃至付記３のいずれか１つの画像処理装置。
【００６４】
（付記７）
露光量調整処理によって得られた露光量調整済合成画像を
画像保持手段に保持された、分割露光量と、複数の分割撮影画像と関連付けず、
修正露光量と関連付けて画像保持手段に保持する
付記１乃至付記３のいずれか１つの画像処理装置。
【符号の説明】
【００６５】
１    撮像装置
２０    撮像素子
３０    記憶部
３１    画像保持部
４０    画像処理部
４１    画像合成部
４２    サムネイル生成部
５０    操作部
６０    表示部
７０    圧縮伸長処理部
８０    記録メディアインターフェイス
９０    制御部
９１    露光条件取得部
９２    露光条件設定部
９３    画像保存設定部
６    記録メディア
【図１】
2017152756.tif 000003
【図２】
2017152756.tif 000004
【図３】
2017152756.tif 000005
【図４】
2017152756.tif 000006
【図５】
2017152756.tif 000007